【事件の表示】
　平成　９年特許願第２９６７６４号「気体放電型表示装置」拒絶査定不服審判事件〔平成１１年　５月２１日出願公開、特開平１１−１３３９１４〕について、次のとおり審決する。
【結　論】
　本件審判の請求は、成り立たない。
【理　由】
第１　手続の経緯
　本件出願は、平成９年１０月２９日の出願であって、平成２０年２月６日付け（発送日：平成２０年２月１２日）で拒絶査定がなされ、これに対して平成２０年３月１３日に拒絶査定不服審判の請求がなされるとともに、平成２０年４月１１日付けで明細書を対象とする手続補正がなされたものである。
　
第２　平成２０年４月１１日付け手続補正についての補正却下の決定
［補正却下の決定の結論］
　平成２０年４月１１日付け手続補正を却下する。
［理由］独立特許要件違反
　平成２０年４月１１日付け手続補正（以下、「本件補正」という。）により、補正前の特許請求の範囲の請求項１が、
「【請求項１】　放電空間を挟んで対向配置した第１基板と第２基板とを有しかつ前記第１基板上に走査電極群と維持電極群を配列するとともに前記第２基板上に前記走査電極群と維持電極群と直交対向してデータ電極を配列したプラズマディスプレイパネルと、このプラズマディスプレイパネルの走査電極群に出力が接続されかつ書き込み期間において前記走査電極群に走査パルスを印加するとともに維持期間において前記走査電極群に維持パルスを印加する走査／維持パルス発生回路と、この走査／維持パルス発生回路に出力が接続されかつ緩勾配波形を有する初期化パルスを発生する初期化パルス発生回路とを備え、前記初期化パルス発生回路において緩勾配波形を発生する回路をミラー積分回路により構成し、かつ初期化期間においては前記初期化パルス発生回路から緩勾配波形を有する初期化パルスを前記走査／維持パルス発生回路を介してプラズマディスプレイパネルの走査電極群に印加するように構成した気体放電型表示装置。」から、
　
「【請求項１】　放電空間を挟んで対向配置した第１基板と第２基板とを有しかつ前記第１基板上に走査電極群と維持電極群を配列するとともに前記第２基板上に前記走査電極群と維持電極群と直交対向してデータ電極を配列したプラズマディスプレイパネルと、このプラズマディスプレイパネルの走査電極群に出力が接続される走査電極駆動回路と、前記プラズマディスプレイパネルの維持電極群に出力が接続される維持電極駆動回路とを備え、前記走査電極駆動回路は、書き込み期間において前記走査電極群に走査パルスを印加するとともに維持期間において前記走査電極群に維持パルスを印加する走査／維持パルス発生回路と、この走査／維持パルス発生回路に出力が接続されかつ前記書きこみ期間の前の初期化期間において前記走査電極群に緩勾配波形を有する初期化パルスを印加する初期化パルス発生回路とを有し、前記維持電極駆動回路は、前記維持期間において前記プラズマディスプレイパネルの維持電極群に維持パルスを印加する維持パルス発生回路と、この維持パルス発生回路に出力が接続されかつ維持放電を停止させる立下りの緩勾配波形の消去パルスを前記維持電極群に印加する消去パルス発生回路とを有し、かつ前記初期化パルス発生回路および消去パルス発生回路をミラー積分回路により構成したことを特徴とする気体放電型表示装置。」に補正された。
　
　本件補正により、
　補正前の「気体放電型表示装置」に、「走査電極駆動回路」と「維持電極駆動回路」が新たに付加限定されるとともに、
　「走査／維持パルス発生回路」と「初期化パルス発生回路」が備えられる箇所が、「気体放電型表示装置」から、「気体放電表示装置」が備える「走査電極駆動回路」に限定された。
　
　したがって、本件補正は、特許請求の範囲の減縮を目的とするものに該当する。
　そこで、本件補正後の請求項１に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。
　
１　本件補正後の本願発明
　本件出願の請求項１に係る発明（以下、「本願補正発明」という。）は、本件補正により補正された明細書及び図面からみて、その請求項１に記載されたとおりのものと認める。
　
２　引用刊行物に記載された発明
　原査定の拒絶の理由に引用され、本件出願前の１９９７年６月５日に頒布された刊行物である国際公開９７／２０３０１号（以下、「引用刊行物１」という。）には、「PLAZMA PANEL EXHIBITING ENHANCED CONTRAST」の発明に関して、図面とともに以下の事項が記載されている。
　
＜記載事項１＞
「
FIELD OF THE INVENTION
（当審訳）
「本発明の技術分野
　本発明は、一様な壁電荷状態を実現し、フルカラー交流型プラズマディスプレイパネルの動作中、改善された画像コントラストを提供する方法および装置に関する。とりわけ、セットアップ期間において、背景光の発光をわずかとしつつ、一様な壁電荷状態を実現する改善された低電圧ドライバ回路に関する。」
　
＜記載事項２＞
「Fig 10 is a circuit diagram of a plasma panel system incorporating the invention hereof. 
 Fig. 11 is a set of waveforms helpful in understanding the operation of the system of Fig. 10.」（第９頁第３６行−第１０頁第２行）
（当審訳）
「図１０は、本発明を具現化したプラズマパネルシステムの回路図である。
　図１１は、図１０のシステム動作を理解する上で有用な一連の波形図である。」
　
＜記載事項３＞
「Referring to Fig. 10, a block diagram is shown of a system for operating a plasma panel 10, utilizing slowly ramping sustain potentials during a set-up phase. The waveform diagrams of Fig. 11 are illustrative of the waveforms employed during the operation of Fig. 10. A controller 50 provides outputs to control a plurality of Xa address drivers 52 which provide selective addressing potentials to column electrodes 14. Controller 50 further provides control outputs to a Ysa sustainer module 54 and a Ysb sustainer module 56. Ysa sustainer module 54 is utilized to provide the waveforms required during the set-up period and the sustain period of Fig. 11. Ysb sustainer module 56 applies voltage outputs to sustain lines 26 in common and Ysa sustainer module 54 applies its outputs, via Y address drivers 57, in common to sustain lines 28. Controller 50, via scan line 59, causes Y address drivers 57 to sequentially apply address potentials to successive lines 28, during the address period shown in Fig. 11.
 It is a primary function of Ysa sustainer module 54, during the set-up period, to apply a sustain waveform with a rise time and a fall time that are sufficiently slow so that controlled pixel site discharges are achieved. This enables the establishment of standardized wall voltages at each pixel site that are substantially independent of prior existing wall charge states. The slowly ramped sustain waveforms also provide sufficient priming for reliable address discharge operation of the addressed pixel sites. All of this operation occurs in a manner which generates a minimal amount of discharge light.
 Initially, controller 50 causes Ysb sustainer module 56 to generate an erase pulse 70 (see Fig. 11) which is impressed on all sustain lines 26 and acts to erase any pixel sites which are in the ON state. This initial erase action has been previously taught by Criscimagna, et al. in U. S. Patent 4,611,203. While erase pulse 70 manifests a ramped leading edge, the slope of that edge is not critical. The Criscimagna reference contains no teaching regarding any relationship between the leading edge ramp of the erase pulse and the positive resistance region of a pixel site's gas discharge characteristic. 
 After the initial erase action, controller 50 operates a rise time control circuit 58 within Ysa sustainer module 54 which, in turn, applies a slowly rising ramp potential 72 to all sustain lines 28 (.see Fig. 11).」（第１５頁第３５行−第１７頁第４行）
（当審訳）
「図１０には、セットアップ期間に緩勾配電圧を維持電極に印加するプラズマパネル１０の駆動システムのブロック図が示されている。図１１の波形図は、図１０の動作中に用いられる波形を説明するものである。制御装置５０は、複数のＸａアドレスドライバ５２に対して、アドレス電圧を列電極１４に選択的に供給させるための制御信号を出力する。制御部５０はさらに、Ｙｓａ維持電極駆動モジュール５４およびＹｓｂ維持電極駆動モジュール５６に制御信号を出力する。Ｙｓａ維持電極駆動モジュール５４は、図１１のセットアップ期間および維持期間において必要な波形を供給するために用いられる。Ｙｓｂ維持電極駆動モジュール５６は、複数の維持電極ライン２６に電圧を一括で印加し、Ｙｓａ維持電極駆動モジュール５４は、Ｙアドレスドライバ５７を介して複数の維持電極ライン２８に電圧を一括で印加する。制御装置５０は、図１１で示されたアドレス期間において、走査線５９を介して、Ｙアドレスドライバ５７により、連続する複数のライン２８にアドレス電圧を順番に印加する。
　Ｙｓａ維持電極駆動モジュール５４の主な機能は、セットアップ期間において画素部の放電を制御できるように、上昇時間と下降時間が十分遅い電圧波形を維持電極に印加することである。これにより、以前の壁電荷の状態に関わらず、各画素部の壁電圧値を一様にすることができる。緩勾配の電圧波形は、選択画素でのアドレス放電動作を安定化させるための十分なる準備を提供するものである。これらの放電により発生する放電発光はわずかである。
　まず、制御装置５０は、Ｙｓｂ維持電極駆動モジュールに、全ての維持電極ライン２６に印加される消去パルス７０（図１１参照）を発生させ、オン状態にある画素部を消去する。この初期消去動作は、クリシマーニャらによって米国特許第４６１１２０３号において以前から教示されていた。消去パルス７０は傾斜した前縁を示しているが、その勾配は重要でない。クリシマーニャの参考文献には、消去パルスの前縁の傾斜と画素部のガス放電の正の抵抗領域との関係については、何ら教示するものはない。
　初期消去動作の後に、制御装置５０はＹｓａ維持電極駆動モジュール５４内部にある上昇時間制御回路５８を動作させ、全ての維持電極ライン２８（図１１参照）に緩勾配電圧７２を印加する。」
　
＜記載事項４＞
「Thereafter, during the following sustain period, controller 50 cause an initial longer sustain pulse 80 to applied by Ysa sustainer 54 to sustain line 28. Sustain pulse 80 enables an extra long discharge which assures that any priming problem is overcome by providing sufficient extra time to enable slowly discharging pixel sites to fully discharge. Thereafter, shorter duration sustain pulses 82 are applied to the Ysa and Ysb sustain lines in the manner taught by Yoshikawa, et al. to derive desired gray levels.」（第１７頁第３３行−第１８頁４行）
（当審訳）
「その後、続く維持期間において、制御装置５０は、Ｙｓａ維持電極駆動モジュール５４により、最初のより長い維持パルス８０を維持電極ライン２８に印加させる。維持パルス８０による長い放電は、画素部を完全に放電させるのに十分長い時間供給されることにより準備放電のどのような問題も解決する。その後、より短い期間の維持パルス８２が、ヨシカワらによって教示された所望の階調を得るための方法で、ＹｓａおよびＹｓｂ維持電極ラインに印加される。」
　
　上記記載事項１−２及び図１０からみて、プラズマパネル１０と、Ｙｓａ維持電極駆動モジュール５４と、Ｙアドレスドライバ５７と、Ｙｓｂ維持電極駆動モジュール５６とを備えたプラズマディスプレイパネルシステムが読み取れる。
　
　図１０からみて、プラズマパネル１０には、複数の維持電極ライン２６、２８と、これらのラインと直交する複数の列電極１４とが配設されていることが見てとれる。
　
　上記記載事項３−４及び図１０−１１からみて、Ｙアドレスドライバ５７は、その出力が維持電極ライン２８に接続されているとともに、アドレス期間においてアドレス電圧を維持電極ライン２８に印加していることが読み取れる。
　また、Ｙｓａ維持電極駆動モジュール５４は、Ｙアドレスドライバ５７を介して維持電極ライン２８に、セットアップ期間において緩勾配の電圧波形を印加するとともに、維持期間において維持パルスを印加していることが読み取れる。
　したがって、Ｙアドレスドライバ５７とＹｓａ維持電極駆動モジュール５４とから、維持電極ライン２８に電圧を印加する回路が構成されていることが読み取れる。
　
　上記記載事項３−４及び図１０−１１からみて、Ｙｓｂ維持電極駆動モジュール５６は、その出力が維持電極ライン２６に接続されているとともに、立ち上がりに傾斜を有する電圧波形を持つ消去パルスを、維持電極ライン２６に印加していることが読み取れる。
　また、図１１の維持期間（SUSTAIN PERIOD）において、維持パルスがＹＳＢに印加されていることからみて、Ｙｓｂ維持電極駆動モジュール５６が維持電極ライン２６に維持パルスを印加しているかどうか明記されていないものの、少なくとも維持電極ライン２６に維持パルスを印加する回路が存在することが認められる。
　したがって、維持期間において維持電極ライン２６に維持パルスを印加する回路と、Ｙｓｂ維持電極駆動モジュール５６とから、維持電極ライン２６に電圧を印加する回路が構成されていることが読み取れる。
　
　よって、前記記載事項１乃至４及び図面の図１０及び１１の記載からみて、引用刊行物１には、以下の発明が記載されているものと認められる。
　
「複数の維持電極ライン２６、２８と、これらのラインと直交する複数の列電極１４とが配設されているプラズマパネル１０と、複数の維持電極ライン２８に出力が接続され、維持電極ライン２８に電圧を印加する回路と、複数の維持電極ライン２６に出力が接続され、維持電極ライン２６に電圧を印加する回路とを備え、前記維持電極ライン２８に電圧を印加する回路は、アドレス期間において維持電極ライン２８にアドレス電圧を印加するＹアドレスドライバ５７と、このＹアドレスドライバ５７を介して、セットアップ期間において維持電極ライン２８に緩勾配の電圧波形を印加し、維持期間において維持電極ライン２８に維持パルスを印加するＹｓａ維持電極駆動モジュール５４とを有し、前記維持電極ライン２６に電圧を印加する回路は、維持期間において維持電極ライン２６に維持パルスを印加する回路と、立ち上がりに傾斜を有する電圧波形の消去パルスを維持電極ライン２６に印加するＹｓｂ維持電極駆動モジュール５６とを有するプラズマディスプレイパネルシステム。」（以下、「引用発明１」という。）
　
３　対比
　本願補正発明と引用発明１とを対比する。
　
　引用発明１の「複数の維持電極ライン２８」は、アドレス期間においてアドレス電圧が順番に印加される電極ライン、つまり走査電極ラインであるから、本願補正発明の「走査電極群」に相当する。また、引用発明１の「複数の維持電極ライン２６」は、本願補正発明の「維持電極群」に相当する。
　そして、引用発明１における、維持電極ラインと列電極とが配設された「プラズマパネル１０」において、一対の基板を放電空間を挟んで対向配置し、一方の基板に維持電極ライン、他方の基板に列電極を配設する構成は、通常用いられている構成に過ぎないから、引用発明１の「複数の維持電極ライン２６、２８と、これらのラインと直交する複数の列電極１４とが配設されているプラズマパネル１０」は、本願補正発明の「放電空間を挟んで対向配置した第１基板と第２基板とを有しかつ前記第１基板上に走査電極群と維持電極群を配列するとともに前記第２基板上に前記走査電極群と維持電極群と直交対向してデータ電極を配列したプラズマディスプレイパネル」に相当する。
　
　引用発明１の「複数の維持電極ライン２８に出力が接続され、維持電極ライン２８に電圧を印加する回路」は、本願補正発明の「このプラズマディスプレイパネルの走査電極群に出力が接続される走査電極駆動回路」に相当する。
　
　引用発明１の「複数の維持電極ライン２６に出力が接続され、維持電極ライン２６に電圧を印加する回路」は、本願補正発明の「前記プラズマディスプレイパネルの維持電極群に出力が接続される維持電極駆動回路」に相当する。
　
　引用発明１の「アドレス期間」は、本願補正発明の「書き込み期間」に相当し、以下同様に、「アドレス電圧」は「走査パルス」に、「セットアップ期間」は「書きこみ期間の前の初期化期間」に、「緩勾配の電圧波形」は「緩勾配波形を有する初期化パルス」に、相当する。
　引用発明１の「Ｙｓａ維持電極駆動モジュール５４」は、Ｙアドレスドライバ５７を介して、セットアップ期間に緩勾配の電圧波形を印加し、維持期間に維持パルスを印加しているから、Ｙアドレスドライバ５７を介してセットアップ期間に緩勾配の電圧波形を印加する回路と、Ｙアドレスドライバ５７を介して維持期間に維持パルスを印加する回路とに区分される。そして、引用発明１の「Ｙアドレスドライバ５７」と、「Ｙｓａ維持電極駆動モジュール５４」のうち、Ｙアドレスドライバ５７を介して維持期間に維持パルスを印加する回路とからなる構成は、本願補正発明の「走査／維持パルス発生回路」に相当し、引用発明１の「Ｙｓａ維持電極駆動モジュール５４」のうち、Ｙアドレスドライバ５７を介してセットアップ期間に緩勾配の電圧波形を印加する回路は、本願補正発明の「初期化パルス発生回路」に相当する。
　したがって、引用発明１の「維持電極ライン２８に電圧を印加する回路は、アドレス期間において維持電極ライン２８にアドレス電圧を印加するＹアドレスドライバ５７と、このＹアドレスドライバ５７を介して、セットアップ期間において維持電極ライン２８に緩勾配の電圧波形を印加し、維持期間において維持電極ライン２８に維持パルスを印加するＹｓａ維持電極駆動モジュール５４とを有し」は、本願補正発明の「走査電極駆動回路は、書き込み期間において前記走査電極群に走査パルスを印加するとともに維持期間において前記走査電極群に維持パルスを印加する走査／維持パルス発生回路と、この走査／維持パルス発生回路に出力が接続されかつ前記書きこみ期間の前の初期化期間において前記走査電極群に緩勾配波形を有する初期化パルスを印加する初期化パルス発生回路とを有し」に相当する。
　
　引用発明１の「維持期間において維持電極ライン２６に維持パルスを印加する回路」は、本願補正発明の「維持期間において前記プラズマディスプレイパネルの維持電極群に維持パルスを印加する維持パルス発生回路」に相当する。
　
　引用発明１の「傾斜を有する電圧波形の消去パルス」は、通常の矩形パルスと比較して、パルスの前縁の勾配が緩勾配であるから、本願補正発明の「緩勾配波形の消去パルス」に相当する。よって、引用発明１の「立ち上がりに傾斜を有する電圧波形の消去パルス」と本願補正発明の「維持放電を停止させる立下りの緩勾配波形の消去パルス」とは、「維持放電を停止させる緩勾配波形の消去パルス」という点で共通する。
　引用発明１の「維持電極ライン２６に維持パルスを印加する回路」と「消去パルスを維持電極ライン２６に印加するＹｓｂ維持電極駆動モジュール５６」とは、同じ維持電極ライン２６にパルスを印加していることからみて、「維持パルスを印加する回路」に「Ｙｓｂ維持電極駆動モジュール５６」の出力が接続されていることは明らかである。
　引用発明１の「Ｙｓｂ維持電極駆動モジュール５６」は、本願補正発明の「消去パルス発生回路」に相当する。
　したがって、引用発明１の「立ち上がりに傾斜を有する電圧波形の消去パルスを維持電極ライン２６に印加するＹｓｂ維持電極駆動モジュール５６」と本願補正発明の「この維持パルス発生回路に出力が接続されかつ維持放電を停止させる立下りの緩勾配波形の消去パルスを前記維持電極群に印加する消去パルス発生回路」とは、「この維持パルス発生回路に出力が接続されかつ維持放電を停止させる緩勾配波形の消去パルスを前記維持電極群に印加する消去パルス発生回路」という点で共通する。
　
　引用発明１の対象である「プラズマディスプレイパネルシステム」は、本願補正発明の対象である「気体放電型表示装置」に相当する。
　
　したがって、本願補正発明と引用発明１の両者は、以下の一致点で一致し、以下の相違点で相違する。
　
＜一致点＞
「放電空間を挟んで対向配置した第１基板と第２基板とを有しかつ前記第１基板上に走査電極群と維持電極群を配列するとともに前記第２基板上に前記走査電極群と維持電極群と直交対向してデータ電極を配列したプラズマディスプレイパネルと、このプラズマディスプレイパネルの走査電極群に出力が接続される走査電極駆動回路と、前記プラズマディスプレイパネルの維持電極群に出力が接続される維持電極駆動回路とを備え、前記走査電極駆動回路は、書き込み期間において前記走査電極群に走査パルスを印加するとともに維持期間において前記走査電極群に維持パルスを印加する走査／維持パルス発生回路と、この走査／維持パルス発生回路に出力が接続されかつ前記書きこみ期間の前の初期化期間において前記走査電極群に緩勾配波形を有する初期化パルスを印加する初期化パルス発生回路とを有し、前記維持電極駆動回路は、前記維持期間において前記プラズマディスプレイパネルの維持電極群に維持パルスを印加する維持パルス発生回路と、この維持パルス発生回路に出力が接続されかつ維持放電を停止させる緩勾配波形の消去パルスを前記維持電極群に印加する消去パルス発生回路とを有する気体放電型表示装置。」
　
＜相違点１＞
　本願補正発明では、消去パルスが立下りの緩勾配波形であるのに対して、引用発明１では、消去パルスが立ち上がりに傾斜を有する波形である点。
　
＜相違点２＞
　本願補正発明では、初期化パルス発生回路および消去パルス発生回路をミラー積分回路により構成したのに対して、引用発明１では、「Ｙｓａ維持電極駆動モジュール５４」の緩勾配の電圧波形を印加する回路及び「Ｙｓｂ維持電極駆動モジュール５６」の回路構成が特定されていない点。
　
４　当審の判断
　
（１）相違点１
　上記相違点１について検討する。
　消去パルスを、立ち上がり、立ち下がりのいずれの波形としてもよいことは、特開平６−２８９８１１号公報の段落【００３７】，図１，５に記載のように周知であるから、引用発明１における消去パルスを立下りの波形とすることは格別なことでない。
　
　したがって、相違点１に係る本願補正発明の発明特定事項は、引用刊行物１に記載された発明及び周知技術に基づいて当業者が容易に想到し得るものである。　
　
（２）相違点２
　上記相違点２について検討する。
　のこぎり波や傾斜信号のような緩勾配波形を発生させるのに、ミラー積分回路を用いることは、特開昭６１−８４１６５号公報、特開昭６１−１４７６１６号公報、特開昭５７−１７８４１５号公報に記載されているように周知技術に過ぎない。
　よって、引用発明１において、「Ｙｓａ維持電極駆動モジュール５４」の緩勾配の電圧波形を印加する回路及び「Ｙｓｂ維持電極駆動モジュール５６」を、ミラー積分回路により構成することは、当業者が容易に想到し得ることである。
　
　したがって、相違点２に係る本願補正発明の発明特定事項は、引用刊行物１に記載された発明及び周知技術に基づいて当業者が容易に想到し得るものである。
　
　そして、本願補正発明によって奏される効果は、引用刊行物１の記載及び周知技術から当業者が予測し得る程度のものに過ぎない。
　
　したがって、本願補正発明は、引用刊行物１に記載された発明及び周知技術に基づいて当業者が容易に発明をすることができたものであるから、特許法第２９条第２項の規定により、特許出願の際独立して特許を受けることができない。
　
５　まとめ
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するので、特許法第１５９条第１項で読み替えて準用する特許法第５３条第１項の規定により却下されるべきものである。
　
第３　本願発明
　本件補正は上記のとおり却下されたので、本件出願の請求項１に係る発明（以下、「本願発明」という。）は、平成２０年１月１８日付けの手続補正により補正された明細書及び図面の記載からみて、請求項１に記載されたとおりのものと認める。（前記「第２」の項参照。）
　
第４　引用刊行物に記載された発明
　引用刊行物１に記載された発明は、前記「第２」の「２　引用刊行物に記載された発明」に記載したとおりである。
　
第５　対比
　本願発明と引用発明１とを対比すると、本願発明と引用発明１の両者は、以下の一致点で一致し、以下の相違点で相違する。
　
＜一致点＞
「放電空間を挟んで対向配置した第１基板と第２基板とを有しかつ前記第１基板上に走査電極群と維持電極群を配列するとともに前記第２基板上に前記走査電極群と維持電極群と直交対向してデータ電極を配列したプラズマディスプレイパネルと、このプラズマディスプレイパネルの走査電極群に出力が接続されかつ書き込み期間において前記走査電極群に走査パルスを印加するとともに維持期間において前記走査電極群に維持パルスを印加する走査／維持パルス発生回路と、この走査／維持パルス発生回路に出力が接続されかつ緩勾配波形を有する初期化パルスを発生する初期化パルス発生回路とを備え、初期化期間においては前記初期化パルス発生回路から緩勾配波形を有する初期化パルスを前記走査／維持パルス発生回路を介してプラズマディスプレイパネルの走査電極群に印加するように構成した気体放電型表示装置。」
　
＜相違点３＞
　本願発明では、初期化パルス発生回路において緩勾配波形を発生する回路をミラー積分回路により構成しているのに対して、引用発明１では、「Ｙｓａ維持電極駆動モジュール５４」の緩勾配の電圧波形を印加する回路の回路構成が特定されていない点。
　
第６　判断
　上記相違点３について検討する。
　のこぎり波や傾斜信号のような緩勾配波形を発生させるのに、ミラー積分回路を用いることは、特開昭６１−８４１６５号公報、特開昭６１−１４７６１６号公報、特開昭５７−１７８４１５号公報に記載されているように周知技術に過ぎない。
　よって、引用発明１において、「Ｙｓａ維持電極駆動モジュール５４」の緩勾配の電圧波形を印加する回路を、ミラー積分回路により構成することは、当業者が容易に想到し得ることである。
　
　したがって、相違点３に係る本願発明の発明特定事項は、引用刊行物１に記載された発明及び周知技術に基づいて当業者が容易に想到し得るものである。　
　
　そして、本願発明によって奏される効果は、引用刊行物１の記載及び周知技術から当業者が予測し得る程度のものに過ぎない。
　
　したがって、本願発明は、引用刊行物１に記載された発明及び周知技術に基づいて当業者が容易に発明をすることができたものである。
　
第７　むすび
　以上のとおり、本願発明は、引用刊行物１に記載された発明及び周知技術に基づいて当業者が容易に発明をすることができたものであるから、特許法第２９条第２項の規定により特許を受けることができない。
　
　よって、結論のとおり審決する。